(57)【要約】  所与の多モード通信セッションに対する必要な入力モードおよび必要な出力モードのような、少なくとも多モード選択情報（２０２）を含む多モード・プロファイル（１１４）を生成し、これにアクセスする多モード通信システムおよび方法。多モード・プロファイル（１１４）も、多モード選択情報（２０２）に関連する少なくとも１つの識別子（２０４）を含むことができる。多モード通信装置（１０２）は、多モード・プロファイル（１１４）にアクセスおよび／またはこれを生成する多モード・プロファイル発生器（１１０）を含む。所与のユーザ・プロファイルからアクセスした多モード選択情報（１２４）に応答するために動作する多モード通信装置構成コントローラ（１１２）は、多モード・プロファイル内のアクセスした多モード選択情報（１２４）に基づいて、多モード通信セッションのための多モード通信装置（１０２）および／またはネットワーク要素を構成する。
2005514837.tif 000002
【特許請求の範囲】
【請求項１】
多モード通信方法であって、
少なくとも１つの入力モードおよび少なくとも１つの出力モードに関連する少なくとも多モード選択情報、および同多モード選択情報に関連する識別子および多モード選択情報のうちの少なくとも１つを含む多モード・プロファイルにアクセスする工程と、
該アクセスした多モード選択情報に基づいて、１つの多モード通信セッションのための少なくとも１つの多モード通信装置を構成する工程と、
からなる方法。
【請求項２】
前記アクセスした多モード選択情報に基づいて、前記多モード通信セッションのための少なくとも１つの多モード通信装置を構成する前記工程が、多モード・プロファイルから複数の記憶されている多モード選択の中の１つを選択するために、前記少なくとも１つの識別子を使用する工程を含む請求項１に記載の方法。
【請求項３】
前記選択された多モード選択情報に基づいて、多モード通信セッションのための少なくとも１つの多モード・サーバを構成する工程を含む請求項２に記載の方法。
【請求項４】
多モード・プロファイルを生成するために、複数の異なるモードのための複数の多モード選択を記憶する工程を含む請求項１に記載の方法。
【請求項５】
複数の識別子に関連する複数の多モード通信シナリオのための異なる多モード選択情報を定義するために、入力および出力モード選択データを受信するユーザ・インタフェースを供給する工程と、
受信した入力および出力モード選択データを記憶し、１つの識別子を少なくとも一組の受信した入力および出力モード選択データと関連づける工程と、
により、少なくとも１つの多モード・プロファイルを生成する工程を含む請求項１に記載の方法。
【請求項６】
前記多モード選択情報に関連する前記識別子が、多モード通信に関連する環境状況を示す請求項１に記載の方法。
【請求項７】
前記多モード選択情報が、少なくとも１つの識別子に関連する周囲状態しきい値データを含む請求項１に記載の方法。
【請求項８】
前記多モード選択情報が、セッション選択情報、前記多モード通信中に送信または受信した情報のフォーマットの制御を容易にするフォーマット識別子を含む媒体選択情報、および入力出力モード選択データのうちの少なくとも１つを含む、請求項５に記載の方法。
【請求項９】
前記多モード通信装置に関連する周囲状態レベルを検出する工程と、
前記周囲状態レベルを前記周囲状態しきい値データと比較する工程と、
同比較に基づいて、前記多モード通信装置のための多モード入力および出力設定を選択する工程とを含む、請求項７に記載の方法。
【請求項１０】
入手され得る多モード選択情報が、多モード通信装置機能、通信ネットワーク機能、周囲状態、該多モード通信装置がアクセスするサーバ、および前記多モード通信装置がアクセスするサービスの中の少なくとも１つの動作機能に基づいている、請求項１に記載の方法。
【請求項１１】
多モード通信装置であって、
少なくとも１つの入力モードおよび少なくとも１つの出力モードに関連する少なくとも１つの多モード選択情報、および前記多モード選択情報に関連する識別子および多モード選択情報のうちの少なくとも１つを含む、多モード・プロファイルにアクセスするために動作する多モード・プロファイル発生器と、
前記アクセスした多モード選択情報に基づいて、多モード通信セッションのための多モード通信装置を構成するために、前記アクセスした多モード選択情報に応答するために動作する多モード通信装置構成コントローラと、を備える多モード通信装置。
【請求項１２】
複数の識別子と関連する複数の多モード通信シナリオに対する異なる多モード選択情報を定義するために、入力および出力モード選択データを受信する前記多モード・プロファイル発生器に動作できるように結合しているユーザ・インタフェースと、
受信した入力および出力モード選択データ、および少なくとも一組の受信した入力および出力モード選択データと関連づけられた関連識別子を、前記多モード・プロファイルの一部として記憶する、前記多モード・プロファイル発生器に動作できるように結合しているメモリと、を含む請求項１１に記載の多モード通信装置。
【請求項１３】
前記多モード通信装置構成コントローラが、前記多モード・プロファイルから複数の記憶している多モード選択の中の１つを選択するために、前記少なくとも１つの識別子を使用する前記アクセスした多モード選択情報に基づいて、前記多モード通信セッションのための多モード通信装置を構成する、請求項１１に記載の多モード通信装置。
【請求項１４】
前記多モード通信装置構成コントローラが、前記多モード通信装置に関連する周囲状態レベルを検出し、
同周囲状態レベルを前記周囲状態しきい値データと比較し、
同比較に基づいて前記多モード通信装置に対する多モード入力および出力設定を選択する、請求項１１に記載の多モード通信装置。
【請求項１５】
多モード通信システムであって、
（ａ）多モード通信装置を備え、該多モード通信装置が、
少なくとも１つの入力モードおよび少なくとも１つの出力モードに関連する少なくとも１つの多モード選択情報、および前記多モード選択情報に関連する識別子および多モード選択情報の中の少なくとも１つを含む多モード・プロファイルにアクセスするために動作する多モード・プロファイル発生器と、
前記アクセスした多モード選択情報に基づいて、多モード通信セッションのための多モード通信装置を構成するために、前記アクセスした多モード選択情報に応答するために動作する多モード通信装置構成コントローラを有し、さらに、
（ｂ）前記多モード通信装置とのセッション中に情報を供給するために、前記多モード通信装置に動作できるように結合している多モード・ネットワーク要素と、を備える多モード通信システム。
【請求項１６】
前記多モード通信装置に動作できるように結合していて、受信した入力および出力モード選択データ、および少なくとも一組の受信した入力および出力モード選択データと関連づけられた関連識別子を、多モード・プロファイルの一部として含んでいるメモリを含む、請求項１５に記載の多モード通信システム。
【請求項１７】
前記多モード・ネットワーク要素に動作できるように結合していて、受信した入力および出力モード選択データ、および少なくとも一組の受信した入力および出力モード選択データと関連づけられた関連識別子を前記多モード・プロファイルの一部として含むメモリを含む、請求項１５に記載の多モード通信システム。
【請求項１８】
前記多モード通信装置が、複数の識別子と関連する複数の多モード通信シナリオに対する異なる多モード選択情報を定義するために、入力および出力モード選択データを受信する、前記多モード・プロファイル・発生器に動作できるように結合しているユーザ・インタフェースを含む、請求項１５に記載の多モード通信システム。
【請求項１９】
前記多モード通信装置構成コントローラが、前記多モード通信装置に関連する周囲状態レベルを検出し、
前記周囲状態レベルを前記周囲状態しきい値データと比較し、
前記比較に基づいて前記多モード通信装置に対する多モード入力および出力設定を選択する、請求項１５に記載の多モード通信システム。
【請求項２０】
前記多モード・プロファイルが、前記多モード通信装置と前記多モード・ネットワーク要素との間で転送される、請求項１５に記載の多モード通信システム。
【発明の詳細な説明】
【技術分野】
【０００１】
本発明は、概して、通信方法および装置に関し、特に多モード通信方法および装置に関する。
【背景技術】
【０００２】
携帯型装置、携帯電話、ラップトップ、ＰＤＡ、インターネット装置、非移動体装置または他の適当な装置のような、端末装置とも呼ばれる通信装置を含む、現在開発が行われている技術分野は、情報やサービスにアクセスするための多モード相互作用の応用である。通常、端末装置上には少なくとも１つのブラウザが常駐している。ブラウザは、取出し要求（ユーザがインタフェースを介して、または他のデバイスやアプリケーションから入力）に応答して取出した情報を受信し、例えば、イントラネットのような内部接続、または例えば、インターネットのような外部接続を介してコンテンツ・サーバ内をナビゲートして情報をユーザに提供するための、アプリケーションまたは他の機構である。ブラウザとしては、グラフィカルなブラウザ、音声ブラウザ、または通常の当業者が周知の任意の他の適当なブラウザを使用することができる。このようなブラウザは、Ｊ２ＭＥアプリケーション、Ｊａｖａ（登録商標）アプリケーションまたは任意の適当な機構を含むことができるが、これらに限定されない。
【０００３】
多モード技術を使用すれば、ユーザは、音声、データ、暗号情報、ビデオ、オーディオまたは他の情報のような情報、および１つ以上のブラウザを介しての電子メール、最新の気象情報、銀行取引およびニュースのようなサービスにアクセスすることができる。より詳細に説明すると、ユーザは、マイクロホンへ取出し要求を吹き込むというような１つ以上のモードで情報取出し要求ができるし、またユーザは、次に、表示スクリーン上での情報の閲覧のような第１または第２のモードで、取出した情報を受信することができる。端末装置においては、ブラウザは、標準ウェブ・ブラウザ、またはネットワークまたは他の端末装置に接続しているコンピュータ上に常駐している他の適当なアプリケーションに類似の方法で動作する。
【０００４】
それ故、多モード通信システムは、セッション毎の複数のモードでの通信を容易にするために、１つ以上の入力および出力インタフェースをユーザが使用できるようになっている。例えば、ユーザは、希望に応じて、異なる状況で異なるモードを使用することができる。例えば、デスクトップ・ユニット、携帯インターネット装置、携帯電話、ＰＤＡまたはテキストの形をしている任意の他の適当なデバイスのような携帯または非携帯装置のような通信装置上の触知できるインタフェースを介して要求を入力し、検索した情報を音声のような音響形式で受信する。毎回このような入力および出力モード選択を指定すると、通信セッション中のユーザにとって時間もかかるし、潜在的に面倒なことになる。
【０００５】
さらに、ソフトウェア・アプリケーションについてのユーザの好みのようなユーザ情報、コンタクト情報、および、例えば、通信デバイスが情報を暗号化または解読できるかどうかというような通信デバイスの機能、および他の機能を含むことができる記憶しているソフトウェア・ファイルのようなユーザ・プロファイルは周知である。しかし、多モード通信システムを取り扱うユーザ・プロファイルは知られていない。
【０００６】
それ故、他の所望の多モードの選択と一緒に、入力および出力インタフェースの選択を容易にカスタマイズできる多モード装置および方法の開発が待望されている。
本発明を添付の図面に示すが、これは単に例示としてのものに過ぎず、本発明を制限するものではない。図面中の参照符号は、類似の要素を示す。
【発明を実施するための最良の形態】
【０００７】
要するに、多モード通信システムおよび方法は、所与の通信装置に対する所望の入力モードおよび所望の出力モード等の、少なくとも多モード選択情報を含む多モード・プロファイルを生成し、これにアクセスする。多モード・プロファイルも、多モード選択情報に関連する少なくとも１つの識別子、または識別子を使用しない所与のシナリオのための多モード選択情報を含む。使用する場合、識別子は、例えば、会議中のユーザ、車両または他の環境内にいるユーザ、または特定のサービスを使用している他のユーザが、遭遇するかもしれない環境状況を識別することができる。例えば、多モード・プロファイルはカスタマイズすることができ、多モード通信装置に、情報を入力するための機構として音声を使用し、多モード通信デバイスが車内に位置している場合には、情報を出力するために音声を使用するように命令することができるが、所与のユーザ・プロファイルに対するもう一組の多モード選択情報は、通信装置に、ユーザからの入力を受信するために触知することができるインタフェースを使用し、通信デバイス上に情報を出力するために視覚的インタフェースを設けるように命令することができる。それ故、多モード通信方法および装置は、多モード・プロファイルから、アクセスした多モード選択情報に基づいて、多モード通信セッションのための少なくとも１つの多モード通信装置を構成する。
【０００８】
ある例の場合には、多モード通信装置は、多モード・プロファイルにアクセスし、および／または、これを生成する多モード・プロファイル生成器を含む。所与のユーザ・プロファイルから、アクセスした多モード選択情報に応答すべく動作する多モード通信装置構成コントローラは、ユーザ・プロファイル内のアクセスした多モード選択情報に基づいて、多モード通信セッションのための多モード通信装置を構成する。望むならば、所与のユーザ、所与の通信デバイス、多モード通信装置上で稼働している所与のソフトウェア・アプリケーション、多モード通信装置を使用することができる一組のユーザ、または任意の他の適当な基準に対して多モード・プロファイルを生成することができる。
【０００９】
一実施形態において、多モード通信装置および方法は、ユーザに、複数の多モード通信シナリオ用の異なる多モード選択情報を定義するために、入力および出力モード選択データを受信することができるユーザ・インタフェースを提示することにより、多モード・プロファイルを生成する。各多モード通信シナリオはある識別子に関連している。例えば、１つの多モード通信シナリオの場合には、すでに説明したように、ユーザおよびデバイスが車内に位置しているために、テキスト出力は望ましくない。もう１つの多モード通信シナリオの場合には、ユーザおよび通信装置が会議に出席しているために、会議中の対話の中断を避けるべく、オーディオ出力は望ましくない。上記方法および装置は、また、受信した入力および出力モード選択データを記憶し、識別子を指定の入力および出力モード選択データと関連づける。このことは、例えば、対象物指向データベースまたは任意の他の適当なリンク機構により行うことができる。
【００１０】
一実施形態の場合には、多モード・プロファイルは、多モード通信装置上に記憶される。もう１つの実施形態の場合には、多モード・プロファイルは、多モード・ネットワーク要素に記憶される。この場合、多モード・ネットワーク要素は、複数の異なる通信装置用および／または複数の異なるユーザのための多モード・プロファイルを含む。
【００１１】
もう１つの実施形態の場合には、多モード通信装置は、周囲の状態のレベルを検出するために、ノイズ・レベル・センサのような周囲状態センサを含む。周囲状態レベルは、次に、多モード・プロファイル内に記憶している周囲状態しきい値と比較され、多モード通信装置のための適当な多モード入力および出力設定が、この比較に基づいて選択される。
【００１２】
多モード・プロファイルをプログラマブルにすることにより、すなわちカスタマイズで
きるようにすることにより、ユーザは、所与の状況に対してモード選択を１回指定することができ、同じ設定を再度使用することができる。ユーザは、セッション毎に種々のモード選択を入力し、選択する必要がなくなる。当業者であれば他の利点も理解することができるだろう。ユーザは、多モード・セッションをセットアップするために、プロファイル・アイコンをアプリケーション上またはブラウザ内にドラッグ＆ドロップするというような多くの異なる機構により、プロファイルを使用して多モード・セッションを呼び出し、管理することができる。ユーザは、メニュー、ブックマークまたはＵＲＬから、または単に所与のプロファイル内のパラメータを必要とするサービスを呼び出すことにより、プロファイルを選択することができる。
【００１３】
図１は、インターネット１０６、イントラネット・リンクまたは任意の他の適当なリンクのようなネットワーク接続を介して相互に動作できるように結合している多モード通信装置１０２および多モード・ネットワーク要素１０４を含む多モード通信システム１００の一例である。無線リンク１０８を介して多モード・ネットワーク要素１０４と通信するための無線通信トランシーバを含む多モード通信装置１０２について説明するが、この多モード通信装置は、単に説明のためのものであって、本発明を制限するためのものではない。しかし、多モード通信装置１０２としては、無線または無線でない、移動体または移動体でない、任意の適当な装置を使用することができる。また、プロファイルとしては、多モード・ネットワーク要素の一部、またはそうでない場合、ネットワーク上に常駐している多モード・ネットワーク要素の一部を使用することができる。このような実施形態の場合には、通信リンクを介してネットワーク要素にアクセスすることができ、またはネットワーク要素を多モード通信装置と同期させることができる。
【００１４】
多モード通信装置１０２は、多モード・プロファイル発生器１１０、多モード通信装置構成コントローラ１１２、多モード・プロファイルを含むメモリ１１４、多モード・ユーザ入力インタフェース１１６、多モード出力インタフェース１１８、および必要ならば、周囲状態センサ１２０を含む。周囲状態センサ１２０または他の機構は、ユーザが「会議に」出席しているのか（オーディオ入出力不可）、「車両内に」位置しているのか（触知入力不可）、「公共輸送機関」等内に位置しているのか（触知入力を有するが、オーディオ出力を持たない）、「デスクトップ」等のところにいるのか（すべてのモードがオンである）等を判断するために使用することができる。
【００１５】
多モード・プロファイル発生器１１０としては、デジタル信号プロセッサ、マイクロプロセッサまたは任意の他の適当なプロセッサ上で稼働しているソフトウェア・アルゴリズムを使用することもできるし、または独立している論理回路、状態機械、または任意の他の適当な構造を使用することができる。これらのものは、例としてのものであって、本発明を制限するものではない。同様に、多モード通信装置構成コントローラ１１２としても、ＤＳＰ、ＣＰＵのような処理装置上で稼働しているソフトウェア・アルゴリズムを使用することもできるし、このコントローラを独立している論理回路、状態機械、または任意の他の適当な構造を介して実施することもできる。メモリとしては、任意の適当なランダム・アクセス・メモリ、分散型メモリ、取外し可能なメモリ・デバイス、または以下にさらに詳細に説明するような多モード・プロファイル用の情報を記憶することができる任意の他の適当なメモリを使用することができる。
【００１６】
多モード・ユーザ入力インタフェース１１６としては、例えば、音声ブラウザ、テキスト・ブラウザ、キーボード、またはスクリーン上の他のグラフィック・ユーザ・インタフェース、または任意の他の適当な多モード入力インタフェースを使用することができる。同様に、多モード出力インタフェース１１８としては、テキスト・ブラウザを介してテキストを出力するスクリーンを使用することもできるし、例えば、音声ブラウザを介して音声を出力するスピーカ・システムを使用することもできるし、振動機構または任意の他の
タイプの視覚的出力機構またはオーディオ出力機構を使用することができる。
【００１７】
多モード・ネットワーク要素１０４としては、例えば、音声ブラウザ、グラフィカル・ブラウザ、または多モード通信装置との多モード通信を容易にする任意の他の適当な入出力インタフェースを含む任意の適当なネットワーク要素を使用することができる。図の多モード通信システム１００は、ネットワークを含んでいるが、本発明は、同様に、相互にリンクしているか、ネットワークを介してリンクしていない複数の多モード通信装置に適用することができる。
【００１８】
図２および図３を参照しながら、多モード通信装置１０２の動作の一例について説明する。多モード・プロファイル１１４を生成するために、ＣＰＵまたは他の適当な装置は、ブロック３００に示すように、オペレーティング・システム問合わせまたは他の適当な技術により、多モード通信装置１０２の機能を決定する（図３参照）。装置の機能は、例えば、多モード通信装置がテキスト・ブラウザ、音声ブラウザ、音声認識エンジン、手書き認識エンジン、姿勢認識エンジン等を有していてもいなくても、またはこれらと通信できるように結合していてもいなくても、所与のセッションまたは活動のための適当な多モード入出力構成を決定するのに必要な周囲状態センサまたは任意の他の適当な機能を含むことができる。このデバイスは説明のためのものであって、本発明を制限するものではない。
【００１９】
ブロック３０２に示すように、多モード通信方法は、多モード・プロファイル１１４を生成するために、ユーザに多モード・ユーザ・インタフェースを供給する工程を含む。この方法は、例えば、選択することができるユーザ・オプションを含むグラフィック・ユーザ・インタフェースまたは他の適当なインタフェースを供給する工程を含む。この方法は、例えば、音声作動インタフェースを含むことができる。供給されるユーザ・インタフェースは、装置機能に基づくものであってもよい。しかし、プロファイルのための選択することができるオプションは、好適には、工程３００で決めた機能に基づくものであることが好ましい。例えば、多モード通信装置１０２が周囲状態センサ１２０を含んでいない場合には、ユーザに供給されるユーザ・インタフェースは、周囲状態しきい値を選択するためのオプションを含まない。何故なら、周囲状態レベルを感知することができないからである。
【００２０】
ブロック３０４に示すように、この方法は、ユーザ・インタフェースを介して、異なる多モード通信シナリオのための異なる多モード選択情報２０２を定義する、入力および出力モード選択データ２００ａ〜２００ｎを受信する工程を含む。多モード選択情報２０２は、例えば、媒体選択情報（例えば、出力テキストがすべて大文字であるかどうか、音声出力がパルスコード変調（ＰＣＭ）フォーマットであるかどうか、出力テキストが暗号化されているかどうか、または他の適当な変数であるかどうかのような）、セッション選択情報（例えば、ネットワーク制御情報）、周囲状態レベル、または任意の他の必要な選択情報を含むことができる。それ故、識別子２０４ａ〜２０４ｎは、例えば、対象物指向データベースを介して、対応する多モード選択情報２０２と関連している。この例の場合には、識別子２０４ａ〜２０４ｎは、異なる多モード通信シナリオに対応している。例えば、識別子２０４ａは、例えば、所与のユーザが会議室内の会議に参加することができる「会議中」通信シナリオに対応する。他の例の場合には、識別子２０４ｂで示す通信シナリオは、多モード通信装置およびユーザが車または他の車両内に位置していると定義される「車内」通信シナリオである。他の通信シナリオも、特定のインターネット・ポータルと通信する場合の分散型音声認識のような音声認識のための異なる音声コーデックを必要とする媒体選択情報２０６ａ〜２０６ｎのような、しかしこれらに限定されない適当な識別子により識別することができる。もう１つの媒体選択識別子は、異なる多モード・ポータルと通信する場合、異なるタイプの音声コード化プロトコルと関連づけることができる。
追加の識別子は、視覚的情報を、ケーブル・セット・トップ・ボックスのような異なる多モード通信装置を介して送りながら、特定のネットワークが、同時に音声モード用の他の多モード選択情報を介して識別される場合ように、ユーザが複数の媒体／モードを同時に、しかし異なるネットワークを介して使用する通信シナリオのようなセッション選択情報２１２と関連づけることができる。それ故、各識別子は、異なる多モード・プロファイルを識別する。所与のユーザ、ソフトウェア・アプリケーションまたは多モード通信装置に対して、複数の多モード・プロファイルを使用することができる。
【００２１】
ブロック３０６に示すように、識別子２０４ａ〜２０４ｎを使用する場合には、この方法は、受信した入力および出力モード選択データ２００ａ〜２００ｎ（およびユーザが選択した場合には、他の多モード選択情報）を、例えば、対象物指向データベースまたは他の適当な機構を使用することにより、識別子２０４ａ〜２０４ｎに関連づける工程を含む。それ故、この方法は、受信した入力および出力モード選択データを記憶し、識別子を少なくとも一組の受信した入出力モード選択データに関連づける工程を含む。すなわち、所与の識別子に対して、少なくとも１つの入力モードおよび少なくとも１つの出力モードが選択される。図２に示すように、識別子２０４ａに関連する１つの多モード・プロファイル、すなわち、「会議中」多モード・プロファイルの場合には、入力モードは、グラフィカル入力でなければならないし、出力モード選択データ２００ｃもグラフィカル出力でなければならない。ユーザは、多モード・ユーザ・インタフェース１１６を介してこれを選択することができる。さらに、ユーザは、特定の通信のフォーマットを表示するために、フォーマット識別子２０６ａ〜２０６ｎを選択することができる。例えば、「会議中」シナリオにより、ユーザは、グラフィカル出力インターネット１１８に出力されるすべてのテキストが、すべて大文字で表示されるように、媒体選択情報２０６ａを選択することができる。セッション選択情報２１２は、また、例えば、好適な音声ゲートウェイ／デフォールト音声ゲートウェイ、ネットワーク・サービス品質（ＱｏＳ）パラメータ、音声を送るためのＲＴＰのような媒体トランスポート・パラメータ、マークアップ言語をトランスポートするためのＴＣＰ／ＩＰまたはＨＴＴＰ、セキュリティ情報、または任意の他の適当な情報を表すデータを含むことができる。また、多モード通信装置がすでにデータを受信している場合、または例えば、「車内」シナリオが存在していることを知っている場合には、周囲しきい値情報１２０は必要ではないことに留意されたい。
【００２２】
図３に戻って説明すると、この方法は、ブロック３０８内に示すように、所与の識別子または多モード・プロファイルに対する選択データの終わりを決定する工程を含む。この決定は、例えば、ユーザが所与のプロファイルに対して適当な多モード選択情報の選択を終了した場合に、ユーザが特定のＧＵＩボタンの作動の有無を監視することにより行うことができる。ユーザが、所与の識別子に対するすべての多モード選択情報の選択を終了していない場合には、この方法は、追加の入力および出力モード選択データまたは他の多モード選択情報を受信する工程を含む。
【００２３】
識別子２０４ａ〜２０４ｎは、多モード通信装置がユーザと一緒に会議に出席しているか、または車内にいるか、または他の環境内にいるかどうかというような上記多モード通信に関連する環境状況を表すこともできるし、媒体サービスまたは他のサービスのタイプのような他のシナリオを表すこともできる。
【００２４】
通信セッション選択情報２１２（例えば、パラメータ）は、使用する好適な多モード・ゲートウェイ／デフォールト多モード・ゲートウェイ、使用する音声エンジン識別子およびパラメータ、このようなゲートウェイとの通信のためのプロトコル、ローカル音声エンジンまたはネットワークをベースとする音声エンジンを使用すべきかどうか、セッション中に使用するための電子メール・アドレス／ＰＩＮ番号、電子財布情報、ネットワーク・サービス品質パラメータまたは他の適当なセッション選択情報を定義することができる。
それ故、多モード選択情報２０２は、多モード通信装置機能、通信ネットワーク機能、周囲状態のうちの少なくとも１つの動作機能、または通信セッションの一部となるサーバに基づいて、選択可能な変数を含むことができる。媒体選択情報（例えば、媒体パラメータ）２０６ａ〜２０６ｎは、多モード通信中に送信または受信する情報のフォーマットの制御を容易にする。多モード選択情報２０２は、また、周囲状態しきい値データ２１０ａ〜２１０ｎを含むことができる。例えば、ユーザは、あるノイズしきい値を、音声入力を入力モードとして使用することができるしきい値より低く設定し、その後で、自動車内のノイズが非常に大きくなった場合のように、周囲状態しきい値を超えた場合には、異なるプロファイルを使用する入力モードを、テキストをベースとする入力インタフェースに切り替えることができる（例えば、図４参照）。それ故、多モード・プロファイルを生成し、記憶した場合には、多モード通信装置は、所与の状況に対してユーザが設定しカスタマイズした多モード制限に基づいて動作することができる。
【００２５】
生成されると、コピーが多モード通信装置１０２および多モード・ネットワーク要素１０４の両方の上に常駐するように、当業者であれば周知のように、同期技術により、多モード通信装置１０２と多モード・ネットワーク要素１０４との間で多モード・プロファイルを転送することができる。また、多モード・ネットワーク要素だけがコピーを保持するように多モード・プロファイルを転送することができる。多モード・プロファイルを転送することにより、ユーザは、１つのユニットを介して多モード・プロファイルを生成または編集することができ、もう１つのユニットを多モード・プロファイルで制御することができる。そうすることにより、デバイス間の移動が容易になり、また異なるデバイス間での多モード・プロファイルの普段の保守が容易になる。
【００２６】
図１および図２に戻って説明すると、多モード・プロファイル・発生器１１０は、多モード・プロファイル１１４にアクセスするために動作する。この場合、多モード・プロファイル１１４は、少なくとも１つの入力モードおよび少なくとも１つの出力モード２００ａ〜２００ｎに関連する少なくとも１つの多モード選択情報２０２を含む。多モード通信装置構成コントローラ１１２は、多モード・プロファイルが生成された後で、ユーザ・インタフェースを介して受信した識別子２０４に基づいて、選択したプロファイルから入手するアクセスした多モード選択情報１２２に応答するために動作する。多モード通信装置構成コントローラ１１２は、多モード通信セッションのための多モード通信装置の多モード・ユーザ入力インタフェース、および多モード出力インタフェースを構成するために、制御信号１２４および１２６を生成する。多モード通信セッションは、例えば、多モード・プロファイルのセットアップを行うために、多モード通信装置に必要な任意のコマンドまたは信号を含む。例えば、ユーザが、「車内」（図２参照）と表示されたＧＵＩボタンまたは上記「車内」を選択した場合には、多モード通信装置構成コントローラ１１２は、「車内」プロファイルにアクセスする。このシナリオの場合には、図２に示すように、例えば、「車内」プロファイルは、ユーザが単に多モード通信装置１０２に話しかけることができ、応答も音声出力で受信することができるように、入力モードが音声入力となるように、出力モードも音声出力となるような選択を行う。またこの図に示すように、音声出力に対するフォーマットＩＤは、ＰＣＭプロトコルである。さらに、この例の場合には、多モード通信装置は、また周囲状態センサ１２０を含む。それ故、周囲状態しきい値データ２１０も、多モード・プロファイルの一部として含まれる。
【００２７】
多モード通信セッション用の多モード通信装置１０２を構成する目的で、多モード通信装置構成コントローラ１１２は、選択した多モード・プロファイルから、複数の記憶している多モード選択の中の１つを選択するために受信した識別子を使用する。
【００２８】
多モード通信装置構成コントローラ１１２は、また、多モード選択情報２０２に基づいて多モード通信セッションを容易にするために、無線リンク１０２を介して、多モード・
ネットワーク要素１０４に対してセットアップ情報を送信することができる。例えば、セッション選択情報２１２は、ユーザ、識別子またはネットワークをベースとする多モード・ゲートウェイへの指定のプロトコル、ＱｏＳパラメータＲＴＰ、ＨＴＴＰ、ＴＣＰ／ＩＰ、ＵＤＰ／ＩＰ等のような他のトランスポート・プロトコルを定義し、制御する。これらのパラメータは、すでに説明したように、そうしたい場合には、所与のセッションのためのネットワーク指向プロファイルを生成するために、多モード選択情報２０２の一部として選択することができる。
【００２９】
多モード・プロファイル・発生器１１０は、ユーザ毎、デバイス毎、またはそうしたい場合には、アプリケーション毎に、多モード・プロファイルを生成するために、異なる複数の多モードに対して、例えば、データベースの形をしているメモリ１１４内に複数の多モード選択を記憶する。それ故、多モード選択情報の追加のフィールドは、ユーザＩＤ、デバイスＩＤまたはソフトウェア・アプリケーションＩＤを含むことができる。
【００３０】
図４は、多モード・プロファイルにアクセスするか、またはそれを使用する工程を含む多モード通信方法を示す。ブロック４００に示すように、この方法は、多モード入力ユーザ・インタフェース１１６を介して識別子２０４を受信する工程を含む。識別子２０４は、また、例えば、特定のタイプのサービスを識別することができる。それ故、サービス識別子を、例えば、サービス・アイコンを作動すると、特定の多モード・プロファイルにアクセスが行われるインターネット・サービスのような、ユーザ・インタフェースがサービス・アイコンを有することができる場合にサービス識別子を使用することができる。それ故、サービスを呼び出すと、実際に、識別子を送信することができ、そのため、多モード通信装置構成コントローラ１１２は、適当な多モード・プロファイルにアクセスすることができる。多モード通信装置構成コントローラ１１２は、最善の一致、または所与のプロファイル識別子（例えば、２０４ａ〜２０４ｎ）と一致するデフォールト・プロファイル、または多モード選択情報２０２で記述された一組の基準を検索する。それ故、多モード通信装置構成コントローラ１１２が、例えば、多モード・ユーザ入力インタフェース１１６からまたは他のソースから、必要な多モード選択情報２０２を受信し、必要な設定に最もよく一致する記憶しているプロファイルを選択した場合には、プロファイル識別子２０４ａ〜２０４ｎを使用する必要はない。
【００３１】
ブロック４０２に示すように、この方法は、使用している場合、周囲状態センサ１２０により、周囲状態レベルを検出し、多モード通信装置構成コントローラ１１２により評価される周囲状態レベル信号１２２を生成する工程を含む。この工程はオプションであり、周囲状態センサを使用している場合に実行される。このような実施形態の場合には、この方法は、多モード通信装置構成コントローラ１１２または任意の他の適当な機構により、周囲状態レベル１２２をアクセスした多モード・プロファイルに関連する周囲状態しきい値データ２１０ａと比較する工程を含む。ブロック４０４はこれを示す。ブロック４０６に示すように、この方法は、周囲状態しきい値と実際の周囲状態レベル１２２との比較に基づいて、多モード通信装置のための入出力モードを設定するアクセスしたプロファイル内の多モード選択データが定義する多モード入力および出力設定を選択する工程を含む。検出した周囲レベルが周囲状態しきい値の範囲内にある場合に、この工程が実行される。しかし、例えば、室内または車両内のノイズ・レベルが大きすぎて、音声出力を聞くことができないことを示すしきい値を超えた場合には、この方法は、ユーザに、異なるプロファイルを選択するか、または  デフォールト・プロファイルを使用する多モード通信装置構成コントローラ１１２を選択するように通知する工程を含む。任意の実施形態の場合には、デフォールト・プロファイルまたは最もよく一致するプロファイルを使用することができる。また、そうしたい場合には、ユーザに、１つ以上の一致するプロファイルのフィルタリングしたリストを供給することができる。ブロック４０８はこれを示す。しかし、検出した周囲レベルがしきい値設定値の範囲内にある場合には、この方法は、ブロック４
１０に示すように、インタフェース１１６および１１８に対して適当な入出力モードを選択するために、制御信号１２４および１２６を生成することにより、アクセス多モード選択情報に基づいて、多モード通信セッション用の多モード通信装置１０２を構成し、また、多モード・ネットワーク要素１０４に、適当なフォーマットをセットアップするか、または多モード・プロファイル内で識別した変数を実行するために必要な任意の他のプロセスと通信するように通知する工程を含む。しきい値に対して反対のアプローチも使用することができる。
【００３２】
それ故、すでに説明したように、多モード・プロファイルにアクセスするために、ユーザは、ユーザが自分の選択を選択することができる最もよく一致するプロファイルを選択するために、プロファイル１１４内の基準と一致する識別子、一組の基準により多モード・プロファイルを選択する。また、プロファイルを自動的に選択することもできる。例えば、ユーザは、フラグを、いつでも、またはある場合に、システムがそのプロファイルを選択しなければならないことを示すように設定することができ、その場合、システム、ブラウザまたはアプリケーションは、自動的にプロファイルを選択するか、多モード・プロファイルにアクセスするサービスを呼び出す。任意の周囲状態または他のフィルタリング基準または制限基準は、プロファイルから入手される。フィルタリング基準は、そうしたい場合には、第三者により入手することもできるし、第三者から入手することもできる。周囲状態のようなフィルタリング基準またはカスタマイズ基準が適合するかどうか、適当なプロファイルが選択されたかどうかを判断するために比較が行われる。例えば、周囲状態しきい値を超えた場合には、異なるプロファイルが選択される。また、ユーザは、そうしたい場合には、プロファイルを追加し、除去し、または修正することができることを理解することができるだろう。それ故、上記装置および方法を使用すれば、種々の状況に対する多モード選択を容易にカスタマイズすることができる。各セッションに対してモード選択を指定する必要がなくなる。当業者であれば他の利点も理解することができるだろう。
【００３３】
当業者であれば、本発明の種々の態様において本発明を種々に変更および修正することにすぐに気がつくことを理解されたい。また本発明は上記特定の実施形態により制限されないことを理解されたい。例えば、多モード・プロファイル発生器および多モード構成コントローラを、他の各機能を実行するためにプログラムすることができる。それ故、本発明は、任意のおよびすべての修正、変更または本明細書に記載し、特許請求した基本的な根本原理の精神および範囲に含まれるそれに相当するものを含む。
【図面の簡単な説明】
【００３４】
【図１】本発明のある実施形態による多モード通信システムの一例を示すブロック図。
【図２】本発明のある実施形態による多モード・プロファイルの一例の図面。
【図３】本発明のある実施形態による多モード通信方法の一例のフローチャート。
【図４】本発明のある実施形態による多モード通信方法の一例のフローチャート。
【図１】
2005514837.tif 000003
【図２】
2005514837.tif 000004
【図３】
2005514837.tif 000005
【図４】
2005514837.tif 000006
【国際調査報告】
2005514837.tif 000007